(57)【要約】【課題】  接触した部位や物を傷つけることがなく、載置したグラスなどがコースターの上面より滑り落ちることもなく、衛生的なコースターを提供する。【解決手段】  本考案のコースター１は、硬質材料にて成形された板状本体部２と、板状本体部２の側面２ａに取り付けられた樹脂製枠体３とを有し、樹脂製枠体３は、板状本体部２の上面２ｂより上方に突出すると共に、板状本体部２の底面２ｃより下方に突出している。このような樹脂製枠体３により、硬質材料にて成形された板状本体部２がテーブル等に接触することがなくなり、よって物を傷つけることがなく、また、樹脂製枠体３は板状本体部２の上面２ｂより上方に突出しているため、載置したグラスなどが当接してコースター１の上面２ｂより滑り落ちることがない。【選択図】図２
0003195569.tif 000002
【実用新案登録請求の範囲】
【請求項１】
硬質材料にて成形された板状本体部と、該板状本体部の側面に取り付けられた樹脂製枠体とを有し、該樹脂製枠体は、前記板状本体部の上面より上方に突出すると共に、前記板状本体部の底面より下方に突出していることを特徴とするコースター。
【請求項２】
前記板状本体部は陶磁器製タイルにて形成されている請求項１に記載のコースター。
【請求項３】
前記板状本体部は陶磁器製タイル以外の陶磁器、ガラス、鋳物または金属のいずれかにて形成されている請求項１に記載のコースター。
【請求項４】
前記樹脂製枠体は、前記板状本体部の上面外周付近を被覆する上面外周被覆部と、前記板状本体部の底面外周付近を被覆する底面外周被覆部の双方或いは一方を有している請求項１ないし３のいずれかに記載のコースター。
【請求項５】
前記樹脂製枠体は、該板状本体部の底面全域を被覆する底面被覆部を有している請求項１ないし４のいずれかに記載のコースター。
【請求項６】
前記樹脂製枠体は弾性材料にて形成された一体物である請求項１ないし５のいずれかに記載のコースター。
【請求項７】
前記樹脂製枠体はゴムまたはシリコンにて形成されている請求項６に記載のコースター。
【請求項８】
前記板状本体部と前記樹脂製枠体との間隙には接着材が充填されていない請求項１ないし７のいずれかに記載のコースター。
【請求項９】
前記板状本体部と前記樹脂製枠体との間隙には接着材が充填され固着されている請求項１ないし８のいずれかに記載のコースター。
【請求項１０】
前記板状本体部の上面には、防滑処理が施されている請求項１ないし９のいずれかに記載のコースター。
【考案の詳細な説明】
【技術分野】
【０００１】
本考案は、グラスなどの下敷きとして使用して好適なコースターに関するものである。
【背景技術】
【０００２】
従来より、陶磁器などの硬質材料にて成形されたコースターが使用されている。例えばそのようなものとして、吸水性を有する多孔質の陶磁器を板状に形成し、上面の全部又は一部に陶磁器の地肌を露出させるようにしたコースター（特開２０００−１３９６６５号公報）が提案されている。また、陶磁器製タイルの裏面に板状コルクを貼着したコースターなどが使用されている。
【０００３】
しかし、これらのものは、底面や側面に硬質材料である陶磁器が露出しているため、接触した部位や物を傷つけたりすることがあった。また、載置したグラスなどがコースターの上面より滑り落ちることがあった。さらに、後者のものは、図６に示すように、陶磁器製タイル５０の裏面に裏足（多数の凸条部）５１が存在するため、板状コルクと凹条部５２との間に空隙が形成され、それらの空隙に水や埃などが侵入し衛生上問題があった。
【先行技術文献】
【特許文献】
【０００４】
【特許文献１】特開２０００−１３９６６５号公報
【考案の概要】
【考案が解決しようとする課題】
【０００５】
そこで、本考案の課題は、接触した部位や物を傷つけることがなく、載置したグラスなどがコースターの上面より滑り落ちることもなく、衛生的なコースターを提供することにある。
【課題を解決するための手段】
【０００６】
上記課題を解決するものは、硬質材料にて成形された板状本体部と、該板状本体部の側面部に取り付けられた樹脂製枠体とを有し、該樹脂製枠体は、前記板状本体部の上面より上方に突出すると共に、前記板状本体部の底面より下方に突出していることを特徴とするコースターである。
【０００７】
前記板状本体部は陶磁器製タイルにて形成されていることが好ましい。前記板状本体部は陶磁器製タイル以外の陶磁器、ガラス、鋳物または金属のいずれかにて形成されていてもよい。前記樹脂製枠体は、前記板状本体部の上面外周付近を被覆する上面外周被覆部と、前記板状本体部の底面外周付近を被覆する底面外周被覆部の双方或いは一方を有していてもよい。前記樹脂製枠体は、該板状本体部の底面全域を被覆する底面被覆部を有していてもよい。前記樹脂製枠体は弾性材料にて形成された一体物であることが好ましい。前記樹脂製枠体はゴムまたはシリコンにて形成されていてもよい。前記板状本体部と前記樹脂製枠体との間隙には接着材が充填されていないことが好ましい。前記板状本体部と前記樹脂製枠体との間隙には接着材が充填され両者が固着されていてもよい。前記板状本体部の上面には、防滑処理が施されていることが好ましい。
【考案の効果】
【０００８】
請求項１に記載の考案によれば、接触した部位や物を傷つけることがなく、載置したグラスなどがコースターの上面より滑り落ちることもなく、衛生的なコースターが構成される。
請求項２に記載の考案によれば、陶磁器製タイルを用いてより容易に上記請求項１の効果を有するコースターを構成できる。
請求項３に記載の考案によれば、陶磁器製タイル以外の硬質材料を用いて上記請求項１の効果を有するコースターを構成できる。
請求項４に記載の考案によれば、板状本体部と樹脂製枠体をより一体化したコースターを構成できる。
請求項５に記載の考案によれば、底面被覆部を設けることで使用に際してより安定したコースターを構成できる。
請求項６または７に記載の考案によれば、樹脂製枠体が弾性変形することで、板状本体部への樹脂製枠体の取り付けが容易で取扱い易いコースターを構成できる。
請求項８に記載の考案によれば、板状本体部から樹脂製枠体を取り外して両者を洗浄して衛生的に継続使用することができる。
請求項９に記載の考案によれば、板状本体部と樹脂製枠体が強固に固着されると共に、両者の間隙に異物が混入することがなく、衛生的なコースターを構成できる。
請求項１０に記載の考案によれば、板状本体部の上面でグラス等が滑らないコースターを構成できる。
【図面の簡単な説明】
【０００９】
【図１】本考案のコースターの一実施例の斜視図である。
【図２】図１に示したコースターのＡ−Ａ線縦断面図である。
【図３】本考案のコースターの他の実施例の縦断面図である。
【図４】本考案のコースターの他の実施例の縦断面図である。
【図５】本発明のコースターの他の実施例の斜視図である。
【図６】本発明のコースターの他の実施例の斜視図である。
【図７】従来のコースターを構成する板状本体部の裏面側斜視図である。
【考案を実施するための形態】
【００１０】
本考案では、硬質材料にて成形された板状本体部２と、板状本体部２の側面２ａに取り付けられた樹脂製枠体３とを有し、樹脂製枠体３が板状本体部２の上面２ｂより上方に突出すると共に、板状本体部２の底面２ｃより下方に突出していることで、硬質材料にて成形された板状本体部２がテーブル等に接触することがなく、よって物を傷つけることがなく、載置したグラスなどが樹脂製枠体３に当接してコースター１の上面２ｂより滑り落ちることがないコースターを実現した。
【実施例１】
【００１１】
本考案のコースターを図１および図２に示した一実施例を用いて説明する。
この実施例のコースター１は、硬質材料にて成形された板状本体部２と、板状本体部２の側面２ａに取り付けられた樹脂製枠体３とを有し、樹脂製枠体３は、板状本体部２の上面２ｂより上方に突出すると共に、板状本体部２の底面２ｃより下方に突出している。以下、各構成について順次詳述する。
【００１２】
板状本体部２は、硬質材料にて成形されており、この実施例では、平面視六角形の陶磁器製タイルにて形成されている。このように、板状本体部として、陶磁器製タイルを用いることにより、容易に本考案のコースターを構成できる。ただし、本考案のコースターにおける板状本体部は、陶磁器製タイルに限定されるものではなく、硬質材料にて構成されたものを広く包含するものであり、例えば、陶磁器製タイル以外の陶磁器、ガラス、鋳物または金属などにより構成されたものも本考案の範疇に包含される。また、この実施例のコースター１は、平面視六角形に成形されているが、これに限定されるものではなく、板状体であれば平面視でどのような形状を有するものも本考案の範疇に包含される。
【００１３】
樹脂製枠体３は、板状本体部２がテーブル等と接触することを防止すると共に、載置したグラスなどがコースター１の上面２ｂより滑り落ちることを防止するためのものであり、板状本体部２の側面２ａに取り付けられている。
【００１４】
具体的には、樹脂製枠体３は、図２に示すように、板状本体部２の上面２ｂより上方に突出すると共に、板状本体部２の底面２ｃより下方に突出するように板状本体部２の側面２ａに取り付けられている。また、この実施例の樹脂製枠体３は、板状本体部２の上面２ｂの外周付近を被覆する上面外周被覆部３ａと、板状本体部２の底面２ｃの外周付近を被覆する底面外周被覆部３ｂと、該板状本体部の底面全域を被覆する底面被覆部３ｃを有し、弾性材料にて一体に成形されている。このように、板状本体部２の側面２ａおよび底面２ｃの全域を被覆することにより、板状本体部２がテーブル等他の物体と接触することをより確実に防止することができる。
【００１５】
ただし、本考案のコースターにおける樹脂製枠体は、この実施例の樹脂製枠体３の形態に限定されるものではなく、例えば、前記板状本体部の上面外周付近を被覆する上面外周被覆部と、前記板状本体部の底面外周付近を被覆する底面外周被覆部のいずれか一方を有しているもの、底面全域を被覆する底面被覆部を有しないもの、樹脂製枠体に単数または複数の貫通孔を有するものなども本考案の範疇に包含される。
【００１６】
樹脂製枠体は硬質樹脂または軟質樹脂にて成形されており、より好ましくは弾性材料にて一体成形されたものである。樹脂製枠体３が弾性変形することで、板状本体部２への取り付けが容易で取扱い易いコースターを構成することができる。また、一体物であることにより板状本体部２への取り付けが容易となるが、樹脂製枠体が２以上の部材からなるものも本考案の範疇に包含される。樹脂製枠体を構成する弾性材料としては、例えばゴムまたはシリコンなどが好適に使用できる。
【００１７】
また、この実施例のコースター１は、板状本体部２と樹脂製枠体３との間隙に接着材が充填されておらず、板状本体部２から樹脂製枠体３を取り外して両者を洗浄して衛生的に継続使用することができるが、逆に、板状本体部２と樹脂製枠体３との間隙に接着材が充填され固着されていてもよい。これにより、板状本体部２と樹脂製枠体３とを強固に固着できると共に、両者の間隙に異物が混入することがなく衛生的なコースターを構成できる。
【００１８】
さらに、板状本体部２の上面２ｂには、防滑処理が施されていることが好ましい。これにより、板状本体部２の上面２ｂでグラス等がより滑らないコースターを構成できる。防滑処理の方法としては、防滑フィルムを板状本体部２の上面２ｂに付着させる方法、例えばウレタン樹脂などの防滑剤を板状本体部２の上面２ｂに塗布する方法、その他薬剤加工により板状本体部２の上面２ｂに防滑層を形成する方法などが挙げられる。
【００１９】
つぎに、本発明のコースターの他の実施例を順次説明する。
まず、図３に示したコースター１０は、前述したコースター１との対比において、樹脂製枠体１１が、板状本体部２の底面全域を被覆する底面被覆部３ｃを有しない点のみ異なり他は同様である。コースター１と同一構成部分については同一符号を付し説明を省略する。このような底面被覆部を有しない樹脂製枠体１１を備えたコースター１０も本考案の範疇に包含される。
【００２０】
図４に示したコースター２０は、前述したコースター１との対比において、樹脂製枠体２１が、板状本体部２の底面全域を被覆する底面被覆部３ｃを有しない点と、板状本体部２の上面２ｂの外周付近を被覆する上面外周被覆部３ａを有しない点が異なり他は同様である。コースター１と同一構成部分については同一符号を付し説明を省略する。このような形態の樹脂製枠体２１を有するコースター２０も本考案の範疇に包含される。なお、樹脂製枠体が上面外周被覆部を有しないことにより、樹脂製枠体が硬質樹脂で形成されている場合でも、樹脂製枠体内に板状本体部を上方より嵌入することで、板状本体部に樹脂製枠体を装着することができる。
【００２１】
図５に示したコースター３０は、前述したコースター１との対比において、板状本体部３１が平面視円形に成形された陶磁器製タイルで構成されている点と、この板状本体部３１の形状に対応して樹脂製枠体３２も平面視円形に成形されている点が異なる。このような形態のコースター３０も本考案の範疇に包含される。
【００２２】
図６に示したコースター４０は、前述したコースター１との対比において、板状本体部４１が平面視正方形に成形された陶磁器製タイルで構成されている点と、この板状本体部４１の形状に対応して樹脂製枠体４２も平面視正方形に成形されている点が異なる。このような形態のコースター４０の他、平面視正六角形または正方形以外の多角形状のコースター、平面視楕円形や任意平面形状のコ―スターも広く本考案の範疇に包含される。
【符号の説明】
【００２３】
１    コースター
２    板状本体部
２ａ  板状本体部の側面
２ｂ  板状本体部の上面
２ｃ  板状本体部の底面
３    樹脂製枠体
３ａ  上面外周被覆部
３ｂ  底面外周被覆部
３ｃ  底面被覆部
【図１】
0003195569.tif 000003
【図２】
0003195569.tif 000004
【図３】
0003195569.tif 000005
【図４】
0003195569.tif 000006
【図５】
0003195569.tif 000007
【図６】
0003195569.tif 000008
【図７】
0003195569.tif 000009
【手続補正書】
【提出日】平成26年11月26日(2014.11.26)
【手続補正１】
【補正対象書類名】実用新案登録請求の範囲
【補正対象項目名】全文
【補正方法】変更
【補正の内容】
【実用新案登録請求の範囲】
【請求項１】
硬質材料にて成形された板状本体部と、該板状本体部の側面に取り付けられた樹脂製枠体とを有し、該樹脂製枠体は、前記板状本体部の上面より上方に突出すると共に、前記板状本体部の底面より下方に突出していることを特徴とするコースター。
【請求項２】
前記板状本体部は陶磁器製タイルにて形成されている請求項１に記載のコースター。
【請求項３】
前記板状本体部は陶磁器製タイル以外の陶磁器、ガラス、鋳物または金属のいずれかにて形成されている請求項１に記載のコースター。
【請求項４】
前記樹脂製枠体は、前記板状本体部の上面外周付近を被覆する上面外周被覆部と、前記板状本体部の底面外周付近を被覆する底面外周被覆部の双方或いは一方を有している請求項１ないし３のいずれかに記載のコースター。
【請求項５】
前記樹脂製枠体は、該板状本体部の底面全域を被覆する底面被覆部を有している請求項１ないし４のいずれかに記載のコースター。
【請求項６】
前記樹脂製枠体は弾性材料にて形成された一体物である請求項１ないし５のいずれかに記載のコースター。
【請求項７】
前記樹脂製枠体はゴムまたはシリコンにて形成されている請求項６に記載のコースター。
【請求項８】
前記板状本体部と前記樹脂製枠体との間隙には接着材が充填されていない請求項１ないし７のいずれかに記載のコースター。
【請求項９】
前記板状本体部と前記樹脂製枠体との間隙には接着材が充填され固着されている請求項１ないし７のいずれかに記載のコースター。
【請求項１０】
前記板状本体部の上面には、防滑処理が施されている請求項１ないし９のいずれかに記載のコースター。